(57)【要約】  【課題】  簡単な操作で正確な計量を保証しつつ所定量の錠剤を取り出すことのできる錠剤用容器を提供する。  【解決手段】  前面に取り出し口２が開口形成された容器本体３と、取り出し口２に収納位置と引き出し位置との間で前後にスライド可能に取り付けられたスライダー４とを備え、容器本体３は、収納位置にあるスライダー４に対してスライド方向奥側に錠剤収納空間を有し、スライダー４は所定量の錠剤を収容する錠剤計量部８を備え、スライダー４が収納位置にあるとき錠剤収納空間から錠剤計量部８へ錠剤が流入可能となるように錠剤計量部８の後端部が開口され、スライダー４が引き出し位置にあるとき錠剤計量部８への錠剤の流入を阻止するストッパー１２が錠剤計量部８の奥側端部に設けられている錠剤用容器１。【選択図】  図１
2014184962.tif 000002
【特許請求の範囲】
【請求項１】
一側面に取り出し口（２）が開口形成された容器本体（３）と、前記取り出し口（２）に収納位置と引き出し位置との間で所定のスライド方向に沿ってスライド可能に取り付けられたスライダー（４）とを備え、前記容器本体（３）は、収納位置にある前記スライダー（４）に対してスライド方向奥側に錠剤収納空間を有しており、前記スライダー（４）は、所定量の錠剤を収容する錠剤計量部（８）を備え、
前記スライダー（４）が収納位置にあるとき前記錠剤収納空間から前記錠剤計量部（８）へ錠剤が流入可能となるように前記錠剤計量部（８）の前記スライド方向の奥側端部が開口され、前記スライダー（４）が引き出し位置にあるとき前記錠剤計量部（８）への錠剤の流入を阻止するストッパー（１２）が前記錠剤計量部（８）の奥側端部に設けられていることを特徴とする錠剤用容器。
【請求項２】
前記ストッパー（１２）は、前記錠剤計量部（８）の左右一側壁の奥側端部からスライド方向奥側かつ左右中央側へ向かって斜めに延出されており、前記容器本体（３）には前記スライダー（４）のスライドを案内する案内壁（７）が前記ストッパー（１２）に対向して設けられ、引き出し位置にある前記スライダー（４）のストッパー（１２）と前記案内壁（７）との間隔が錠剤の幅よりも小さく、収納位置にある前記スライダー（４）のストッパー（１２）は前記案内壁（７）の奥側端部よりもスライド方向奥側に位置され、これにより前記錠剤収納空間から前記錠剤計量部（８）へ錠剤が流入可能となるように前記錠剤計量部（８）の前記スライド方向の奥側端部が開口されることを特徴とする請求項１に記載の錠剤用容器。
【請求項３】
前記ストッパー（１２）は、前記錠剤計量部（８）の底壁の奥側端部に上下揺動自在に設けられたフラップからなり、該フラップは、前記スライダー（４）が収納位置にあるとき上記開口を形成するように下方揺動されるとともに、前記スライダー（４）が引き出し位置にあるとき錠剤計量部（８）への錠剤の流入を阻止するように上方揺動されることを特徴とする請求項１に記載の錠剤用容器。
【請求項４】
前記錠剤計量部（８）は、スライド方向に沿って一列に所定量の錠剤を収容することを特徴とする請求項１，２又は３に記載の錠剤用容器。
【発明の詳細な説明】
【技術分野】
【０００１】
本発明は、錠剤用容器に関する。
【背景技術】
【０００２】
従来より、数回分の錠剤を携帯するとともに服用時に処方された所定量の錠剤を計量して取り出すことができる錠剤用容器が種々開発されており、例えば、下記の特許文献１に開示されたものが知られている。
【先行技術文献】
【特許文献】
【０００３】
【特許文献１】特開２００５−８１９７号公報
【０００４】
この従来の錠剤用容器では、一側面に取り出し口が開口形成された容器本体と、取り出し口に収納位置と引き出し位置との間でスライド可能に取り付けられたスライダーとを備えている。このスライダーは、所定量の錠剤を計量して収容可能な錠剤計量部を備えているとともに、この錠剤計量部の背面側面板（１３）寄りの側面板（１２）に側方に向けて開口する物品採入口（１６）が設けられている。そして、錠剤を取り出す際には、スライダーを収納位置とした状態で取り出し口側が下になるように容器本体を傾けると、隔壁板（８）にも案内されながら錠剤が物品採入口から錠剤計量部に流入していく。
【発明の概要】
【発明が解決しようとする課題】
【０００５】
しかし、物品採入口は側方に開口しているため、単に取り出し口側が下になるように容器本体を傾けるのみでは所定量の錠剤が錠剤計量部に流入できず、上記特許文献１の図２（ａ）において錠剤計量部の右下部分に空間が残ってしまうことが多いために、正確に錠剤を計量するには容器本体を左右に傾けたり前後に傾けたりという作業を目視で確認しながら行う必要があって煩雑であった。さらに、正確に計量した後に取り出し口側が下になるように容器本体を傾けたままスライダーを引き出そうとすると、その衝撃で錠剤が物品採入口からこぼれ落ちてしまうことがあるため、容器本体を一旦水平な状態に戻してからスライダーを引き出し、その後、錠剤をスライダーから取り出すために再度容器本体を傾けるという作業も必要となり、利便性の高いものではなかった。
【０００６】
そこで、本発明は、簡単な操作で正確な計量を保証しつつ所定量の錠剤を取り出すことのできる錠剤用容器を提供することを目的とする。
【課題を解決するための手段】
【０００７】
本発明は、上記目的を達成するために、次の技術的手段を講じた。
【０００８】
すなわち、本発明の錠剤用容器は、一側面に取り出し口が開口形成された容器本体と、前記取り出し口に収納位置と引き出し位置との間で所定のスライド方向に沿ってスライド可能に取り付けられたスライダーとを備え、前記容器本体は、収納位置にある前記スライダーに対してスライド方向奥側に錠剤収納空間を有しており、前記スライダーは、所定量の錠剤を収容する錠剤計量部を備え、前記スライダーが収納位置にあるとき前記錠剤収納空間から前記錠剤計量部へ錠剤が流入可能となるように前記錠剤計量部の前記スライド方向の奥側端部は開口され、前記スライダーが引き出し位置にあるとき前記錠剤計量部への錠剤の流入を阻止するストッパーが前記錠剤計量部の奥側端部に設けられていることを特徴とするものである。
【０００９】
かかる本発明の錠剤用容器によれば、スライダーを収納位置に収納した状態で取り出し口側が下になるように容器本体を傾けると、容器本体の錠剤収納空間から錠剤計量部へ向けて錠剤計量部の奥側端部の開口から錠剤が錠剤計量部へ流入し、所定量を超える錠剤は錠剤計量部へ流入することはできないので所定量の錠剤が正確に計量される。そして、そのままスライダーを引き出し位置まで引き出すと、ストッパーによって錠剤計量部への錠剤の流入が阻止されるので、取り出し口側が下になるように容器本体を傾けたまま錠剤計量部内の錠剤を取り出しても所定量を超える錠剤が流出してくることがない。
【００１０】
上記本発明の錠剤用容器において、前記ストッパーは、前記錠剤計量部の左右一側壁の奥側端部からスライド方向奥側かつ左右中央側へ向かって斜めに延出されており、前記容器本体には前記スライダーのスライドを案内する案内壁が前記ストッパーに対向して設けられ、引き出し位置にある前記スライダーのストッパーと前記案内壁との間隔が錠剤の幅よりも小さく、収納位置にある前記スライダーのストッパーは前記案内壁の奥側端部よりもスライド方向奥側に位置され、これにより前記錠剤収納空間から前記錠剤計量部へ錠剤が流入可能となるように前記錠剤計量部の前記スライド方向の奥側端部が開口されるものとすることができる。これによれば、スライダーおよび容器本体に可動部分が無いので動作の安定性を向上できる。
【００１１】
また、前記ストッパーは、前記錠剤計量部の底壁の奥側端部に上下揺動自在に設けられたフラップからなり、該フラップは、前記スライダーが収納位置にあるとき上記開口を形成するように下方揺動されるとともに、前記スライダーが引き出し位置にあるとき錠剤計量部への錠剤の流入を阻止するように上方揺動されるものとすることもできる。これによれば、錠剤計量部の奥側開口を錠剤計量部の内部空間とスライド方向に沿って直線的に設けることができ、錠剤計量部への錠剤の流入が一層円滑に行われるようになる。
【００１２】
好ましくは、前記錠剤計量部は、スライド方向に沿って一列に所定量の錠剤を収容するように構成できる。これによれば、錠剤計量部の奥側の錠剤収容部に錠剤が存在する状態で取り出し口側が下になるように容器本体を傾けるだけでより確実に所定量の計量を行うことが可能になる。
【発明の効果】
【００１３】
本発明によれば、取り出し口側が下になるように容器本体を傾けたままスライダーを引き出すのみで、正確な計量と錠剤の取り出しとを行うことができ、簡単な操作で正確な計量を保証しつつ所定量の錠剤を取り出すことができる。
【図面の簡単な説明】
【００１４】
【図１】本発明の第１実施形態に係る錠剤用容器の全体断面図である。
【図２】図１のＡ−Ａ線断面図である。
【図３】同錠剤用容器の分解斜視図である。
【図４】同錠剤用容器の錠剤充填工程を示す斜視図である。
【図５】同錠剤用容器の錠剤取り出し時の全体断面図である。
【図６】本発明の第２実施形態に係る錠剤用容器の全体断面図である。
【図７】図６のＢ−Ｂ線断面図である。
【図８】同錠剤用容器の分解斜視図である。
【図９】同錠剤用容器の錠剤取り出し時の全体断面図である。
【図１０】図９のＣ−Ｃ線断面図である。
【発明を実施するための形態】
【００１５】
以下、本発明の好適な実施の形態を図面に基づいて説明する。
【００１６】
図１〜図５は本発明の第１実施形態に係る錠剤用容器１を示しており、該容器１は、前側面に取り出し口２が開口形成された容器本体３と、この容器本体３の取り出し口２に収納位置（図１参照）と引き出し位置（図５参照）との間で前後方向（所定のスライド方向）に沿ってスライド可能に取り付けられたスライダー４とを備えている。
【００１７】
容器本体３は、天板・前後左右側板及び底板を有して前後方向に長尺の平面視長方形状の箱型に構成され、その内部空間が錠剤収納空間となされ、該空間の上下幅は錠剤の高さより若干大きくなされている。錠剤収納空間は、スライダー４の左側方の領域からスライダー４のスライド方向奥側の領域に亘って設けられている。
【００１８】
また、容器本体３は、図３及び図４に示すように、天板及び前後左右側板を一体に有する本体上カバー５と、底板となる本体下カバー６とを組み立てることによって構成されており、下カバー６を上カバー５から取り外すことによって上カバー５の錠剤収納空間内に錠剤を充填できるようになっている。これら上カバー５及び下カバー６は透明乃至半透明の合成樹脂製であり、内部の錠剤の残量や、錠剤の位置を外部から目視により確認できるようにしている。
【００１９】
上記取り出し口２は、容器本体３の前側板の右寄りの位置に設けられた正面視方形状の開口であり、この取り出し口２の左端部から後方に向かって案内壁部７が延設されており、該案内壁部７（左側案内壁）と容器本体３の右側板（右側案内壁）との間にスライダー４の錠剤計量部８が案内保持されている。
【００２０】
スライダー４は、所定量（例えば４錠）の錠剤を前後方向に一列に収容する錠剤計量部８と、該錠剤計量部８の前端部に一体形成された前板部９と、容器本体３の右側板の外側面に重合する前後方向に長尺の板状の操作片１０と、スライダー４の移動範囲を規制するための前後方向に長尺板状の規制片１１とを備えている。操作片１０は前板部９の右端部から後方に延設され、その外側面には滑り止め用の凹凸が形成されており、この操作片１０を指で前後に操作することによってスライダー４をスライド操作可能である。
【００２１】
規制片１１は前板部９の左端部から後方に延設され、上記案内壁部７の左側面に重合され、この規制片１１と錠剤計量部８の左側壁との間に案内壁部７が挟み込まれている。なお、規制片１１の左側面は隔壁１３によって覆われており、該隔壁１３によって錠剤への規制片１１の接触を防止している。
【００２２】
規制片１１には係止凸部１１ａが設けられており（図３参照）、スライダー４が引き出し位置にあるときに係止凸部１１ａが容器本体３側の係止部（図示省略）に係合することによって、引き出し位置を超えてスライダー４が取り出し口２から引き出されてしまうことを阻止している。
【００２３】
錠剤計量部８は、底壁部及び左右側壁部とから上方開口状に構成され、その左右側壁間の幅は錠剤の直径より僅かに大きくなされており、また、底壁部及び左右側壁部の前後方向長さは所定量（図示例では４錠）の錠剤の直径の合計とほぼ同じである。
【００２４】
また、錠剤計量部８の右壁部の後端部（スライド方向奥側端部）には、スライダー４が収納位置にあるときにスライダー４の後方の錠剤収納部から錠剤計量部８への錠剤の流入を許容する一方、スライダー４が取り出し位置にあるときに錠剤計量部８への錠剤の流入を阻止するストッパー１２が設けられている。このストッパー１２は上記案内壁部７と対向して設けられているとともに、スライダー４が収納位置にあるときは案内壁部７の後端部よりも後方にストッパー１２が位置するようになっている。
【００２５】
本実施形態のストッパー１２は錠剤計量部８に一体形成され、錠剤計量部８の右側壁の奥側端部から後方（スライド方向奥側）かつ左右中央側へ向かって斜めに延出されている。このストッパー１２と錠剤計量部８の左側壁の後端部との間の距離は錠剤の直径よりも大きくなされ、これによりスライダー４単体として見れば錠剤計量部８の後端部は常時後方に向けて開口されている。スライダー４を容器本体３に組み合わせた状態では、スライダー４が引き出し位置にあるときはストッパー１２の先端部（後端部）と上記案内壁７との間隔が錠剤の幅（直径）よりも小さくなされているため、錠剤計量部８の後端開口がストッパー１２及び案内壁７によって狭められ、容器本体３の錠剤収納空間から錠剤計量部８への錠剤の流入が阻止される。一方、スライダー４が収納位置にあるときは、ストッパー１２は案内壁７よりも後方に位置するため、案内壁７の後端部とストッパー１２との距離が錠剤の幅（直径）よりも大きくなされ、これにより錠剤計量部８の後端部が錠剤の流入を許容するように開口されることとなる。
【００２６】
なお、案内壁部７の後端部から斜め後方に向けてガイド１４が一体形成されており、このガイド１４に案内されて錠剤が円滑に錠剤計量部８の後端開口まで案内されるようになっている。
【００２７】
次に、本実施形態の錠剤用容器１の使用方法について説明する。まず、図３に示す分解状態から、本体上カバー５の取り出し口２にスライダー４を装着して、スライダー４を収納位置まで押し込む。次に、図４に示すように本体上カバー５の錠剤収納空間内に錠剤を充填した後、本体上カバー５に本体下カバー６を嵌着することによって錠剤補充及び組み立てが完了する。
【００２８】
錠剤を所定量取り出す際には、スライダー４の後方の錠剤収納空間内に錠剤が存在する状態で取り出し口２側が下になるように容器１を傾けると、図１に示すように所定量の錠剤がスライダー４の錠剤計量部８内に流入する。そのままスライダー４を引き出し位置まで引き出すと、図５に示すようにストッパー１２によって錠剤計量部８の後端開口が狭められて更なる錠剤の流入が阻止されるので、引き出したスライダー４の錠剤計量部８から錠剤を取り出しても所定量以上の錠剤が流出してしまうことがない。また、この一連の操作は、取り出し口２側が下になるように容器１を傾けたままで行うことができ、かかる単純な操作で確実に所定量の計量を行うことができる。
【００２９】
図６〜図１０は本発明の第２実施形態に係る錠剤用容器１を示しており、上記第１実施形態と同様の構成については同符号を付して詳細説明を省略し、異なる構成、作用効果について説明する。
【００３０】
本第２実施形態では、ストッパー１２の構成が第１実施形態と大きく異なっており、第２実施形態のストッパー１２は、錠剤計量部８の底壁の奥側端部に上下揺動自在に設けられたフラップによって構成されている。一方、容器本体３の上カバー５には、図６及び図７に示すようにスライダー４が収納位置にあるときにフラップ１２を底壁に対して平坦となる状態（下方揺動状態）へ強制的に下方揺動させるためのリブ１７（突出部）が設けられている。このリブ１７と容器本体３の底板（下カバー６）との間にはフラップ１２の高さよりも若干大きな隙間が形成されており、この隙間にフラップ１２が嵌まり込んで下方揺動状態で保持されるようになっている。なお、リブ１７の頂面の前端部には傾斜面が形成されており、これにより円滑にフラップ１２が上記隙間に案内されるようになっている。そして、フラップ１２が下方揺動した状態では、錠剤の流入を許容するように錠剤計量部８の後端が開口される。
【００３１】
また、容器本体３の上カバー５には、図９及び図１０に示すようにスライダー４が引き出し位置にあるときにフラップ１２を強制的に起立させるための凸部１５が設けられており、これによりスライダー４が引き出し位置にあるとき、錠剤計量部８への錠剤の流入を阻止するようにフラップ１２が上方揺動される。なお、錠剤計量部８の底壁には上記凸部１５との干渉を避けるためのスリット１６が形成されている。
【００３２】
本発明は上記実施形態に限定されるものではなく、適宜設計変更できる。例えば、上記リブ１７は下カバー６に設けられていてもよい。また、容器本体３の前後左右側壁は下カバー６に一体に設けてもよい。
【図１】
2014184962.tif 000003
【図２】
2014184962.tif 000004
【図３】
2014184962.tif 000005
【図４】
2014184962.tif 000006
【図５】
2014184962.tif 000007
【図６】
2014184962.tif 000008
【図７】
2014184962.tif 000009
【図８】
2014184962.tif 000010
【図９】
2014184962.tif 000011
【図１０】
2014184962.tif 000012